(57)【要約】【課題】従来の散布物を機械的に圧送する方式の散布方法・装置では水分を有し粘質性のある不定形の散布物を長時間・安定的に、均一に散布することは固結を招いて困難であった。本発明は従来の方法・装置では安定的に散布できなかった散布物であっても長時間・安定的に、均一に散布できる方法・装置を提供する。【解決手段】  基底構造物上に毛状物を散布物の送り方向に鈍角に固定し、毛状物先端とそれに接触する毛状物先端あるいは壁構造物との間に間隙を生じないように密着させたまま、基底構造物を振動させ、随伴する毛状物の振動により生じる送りピッチにより散布物を移送して散布する。【選択図】  図１
2005204639.tif 000002
【特許請求の範囲】
【請求項１】
相対向する基底構造物上の各々に毛状物を送り方向に鈍角に固定し、該基底構造物上の相対向する該毛状物が常に接触したまま該基底構造物を振動させ、随伴する該毛状物の振動により散布物を移送し散布することを特徴とする散布物の散布方法。
【請求項２】
基底構造物の表面に毛状物を送り方向に鈍角に固定し、該毛状物が対向する壁構造物に常に接触したまま該基底構造物を振動させ、随伴する該毛状物の振動により散布物を移送し散布することを特徴とする散布物の散布方法。
【請求項３】
散布物保持手段に、相対向する基底構造物上の各々に毛状物を送り方向に鈍角に固定し、該毛状物が常に接触したまま該基底構造物が振動する移送手段を直列することを特徴とする散布物の散布装置。
【請求項４】
散布物保持手段に、基底構造物の表面に毛状物を送り方向に鈍角に固定し、該毛状物を対向する壁構造物に常に接触したまま該基底構造物が振動する移送手段を直列することを特徴とする散布物の散布装置。
【請求項５】
自走手段を付加することを特徴とする請求項３、４に記載の散布物の散布装置。
【発明の詳細な説明】
【技術分野】
【０００１】  本発明は農業・林業・園芸業・造園業・牧畜業等における散布物の散布方法と、それを実施するための装置に係わる。
【背景技術】
【０００２】  農業・林業・園芸業・造園業・牧畜業等の分野での農薬・肥料・土質改良材等の散布物を散布するための装置は各種のものが考案され、一部は市販されている。【０００３】  散布物は物性により液剤、粉剤、顆粒、不定形固形物に分類される。このうち、液剤、粉末は気流を用いた散布装置が広く使用されている。顆粒についてはホッパーに顆粒を貯留し、該ホッパーの下部に空隙を設け、顆粒を自重により徐々に排出・散布する方式の散布装置が使用されている。しかし、不定形固形物よりなる散布物については効率的な散布装置の例を本発明者は見聞しない。【０００４】  不定形固形物よりなる散布物の散布を目的とした散布装置については次の文献に記載があった。
【特許文献１】登録実用新案公報第３０２６０８８号公報
【特許文献２】特表平７−５０１４５８号公報
【特許文献３】実公平７−１４２４７号公報
【特許文献４】実公平３−２５５２８号公報
【特許文献５】実開昭６２−６４２１７号公報
【特許文献６】実開昭６１−１８２２０７号公報
【特許文献７】実開昭６１−１３４２０８号公報
【特許文献８】特開昭６１−２５４１０号公報
【特許文献９】実開昭６０−８９８２５号公報
【特許文献１０】特開昭５６−５４１２１号公報
【特許文献１１】実開昭５２−１６１７１４号公報
【特許文献１２】実開昭５２−１７０６１０号公報
【特許文献１３】実開昭４７−１９２１８号公報
【発明の開示】
【発明が解決しようとする課題】
【０００５】  本発明は不定形固形物よりなる、あるいは含む散布物を長時間・安定・均一に農地・圃場・山林・牧場・ゴルフ場等に散布しうる散布方法と散布装置に係わる。【０００６】  不定形固形物よりなる、あるいは含む散布物の代表的なものは堆肥・腐植・腐朽物等がある。これらは形状が一定せず、多くの場合乾燥が完全でなく、微生物が繁殖した痕跡としての相当量の粘質性物質を含む。このような成分上・物性状の特性のためホッパーから散布口へ長時間・安定して排出し、均一な散布を継続することは従来の方法・装置では困難であった。【０００７】  前述の文献において公知の散布方法・装置は回転子・エクスペラー・スクリュー・回転ドラムと対向して連動するコンベアー・回転ローター・回転する繰り出し手段・羽根付ロータ・回転軸により回転する受函等の強制的な機械的圧送により散布口へ押し出し・排出・散布するものである。【０００８】  本発明者は従来の公知の、圧送による不定形固形物の散布装置で、散布を継続するうちに徐々に、駆動する散布手段（回転子・エクスペラー・スクリュー等）の周りに固形物の塊が形成され、詰まりを生じて固形物の供給困難・排出困難等により散布不能となる経験を頻繁にした。この現象は不定形固形物中に含有される水分・粘質物により散布物が機械的圧力や摩擦熱により固結するために生じる。【０００９】  本発明は従来の機械的な強圧的な駆動力によって不定形固形物を圧送・散布する手段に代えて、固形物に圧力をかけずに長時間・安定的に、均一に散布を継続できる方法と装置を提供するものである。
【課題を解決するための手段】
【００１０】  本発明は、基底構造物上に毛状物を固定し、該基底構造物を振動させることにより該毛上物をも振動させ、該毛状物の振動により発生する、圧力をかけない送りピッチにより不定形固形物（あるいはそれらを含む混合物）よりなる散布物であっても長時間・安定的に、均一に散布する方法と装置を提供する。【００１１】  従来の散布装置の欠点は散布物に過剰な圧縮力・圧力・剪断力を掛ける点にある。堆肥・腐植・腐朽物等は水分と粘質物を含むため圧縮力・圧力・剪断力を受けると固結し始めるが、一度、固結塊が生じると発熱等の理由により成長し、やがてホッパーの詰まりや移送手段周りの障壁となって移送を困難とする。塊を除去するためには場合によってはホッパー・移送手段等を大掛りに分解掃除する必要も生じる。本発明では散布物に過剰な圧縮力・圧力・剪断力を掛ける必要がないので長時間・安定的に、均一な散布が可能になる。【００１２】  本発明は相対向する基底構造物上の各々に毛状物を送り方向に鈍角に固定し、相対向する該毛状物が常に接触状態を保持したまま該基底構造物を振動させ、随伴する該毛状物の振動により散布物を移送し散布することを特徴とする散布物の散布方法に関する。【００１３】  さらに本発明は基底構造物の表面に毛状物を送り方向に鈍角に固定し、該毛状物を対向する壁構造物に接触させたまま該基底構造物を振動させ、随伴する該毛状物の振動により散布物を移送し散布することを特徴とする散布物の散布方法に関する。【００１４】  また、本発明は散布物保持手段に、相対向する基底構造物上の各々に毛状物を送り方向に鈍角に固定し、相対向する該毛状物が常に接触状態を保持したままの状態で該基底構造物を振動させ、随伴する該毛状物の振動により散布物を移送する移送手段を直列することを特徴とする散布物の散布装置に関する。【００１５】  加えて、本発明は散布物保持手段に、基底構造物の表面に毛状物を送り方向に鈍角に固定し、該毛状物を対向する壁構造物に接触させたまま該基底構造物を振動させ、随伴する該毛状物の振動により散布物を移送する移送手段を直列することを特徴とする散布物の散布装置に関する。【００１６】  さらに本発明の装置は、前二項の装置に自走手段を付加した散布物の散布装置として実施することもできる。
【発明の効果】
【００１７】  本発明の散布方法・手段によれば乾燥不完全で粘質物を含有する不定形固形物、ないしはそれらを含む散布物であっても長時間・安定的に、均一な散布が可能になる。
【発明を実施するための最良の形態】
【００１８】  本発明では、基底構造物上に毛状物を固形物の送り方向に鈍角に固定し、該基底構造物を振動させ、これに随伴する該毛状物の振動により固形物を移送する。また、このような機能を有する移送手段を具備させる。基底構造物は一つ、あるいは複数を設置する。一つの場合には該基底構造物は壁構造物に対向させ、複数の場合には基底構造物同志を相対向させる。【００１９】  このような構成を有する移送手段を散布物の保持手段、例えばホッパー、タンク、袋等に直列させて散布物を移送し、散布のための排出孔から連続的に外部に排出することにより散布を実施する。【００２０】  基底構造物が単一の場合には該基底構造物上に固定された毛状物は相対向する壁構造物に常に接触状態を保持させたまま、該基底構造物を振動させ、これに随伴する該毛状物の振動により固形物を移送する。【００２１】  複数の場合には、相対向する基底構造物上に固定された毛状物を常に接触状態を保持させたまま、該基底構造物を振動させ、随伴する毛状物の振動により固形物を移送する。【００２２】  以下、図面に則って説明する。本発明者は毛状物７を基底構造物６に対して角度を付けて固定した場合には、相対抗して配置された基底構造物間、あるいは基底構造物と壁構造物との間で接近〜離隔の振動運動を加えると散布物８が移動することを見い出した。【００２３】  この原理は、毛状物７の長さ：Ｌ、相対抗する基底構造物６ないしは壁構造物９との最大離隔しているときの毛状物７の基底構造物６との鋭角側の角度：θ、相対抗する二つの基底構造物６ないしは基底構造物６と壁構造物９が最大距離を保持しているときの毛状物７と基底構造物６との距離：ａ、相対抗する二つの基底構造物６あるいは基底構造物６と壁構造物９との最大離隔と最小離隔の距離の差：ｒ、相対抗する二つの基底構造物６あるいは基底構造物６と壁構造物９が最接近したときの毛状物７の基底構造物６との鋭角側の角度：θａとする。【００２４】  相対抗する二つの基底構造物６が最大離隔したときの毛状物７の先端と基底構造物６との距離はＬ  ｓｉｎθ、最接近時の毛状物７の先端と基底構造物６との距離はＬ  ｓｉｎθａとなるので毛状物７の基底構造物６との間の距離の変化は次のように数式で表現される。【００２５】
【数１】
2005204639.tif 000003
【００２６】  相対向する基底構造物の最大離隔時の毛状物７の基底構造物６上への射影の長さはＬ  ｃｏｓθ、最大接近時の毛状物７の基底構造物６上への射影の長さはＬ  ｃｏｓθａとなるので毛状物７先端の移動距離（送りピッチ）ｘは次の数式で表現される。【００２７】
【数２】
2005204639.tif 000004
【００２８】  上式をｘについて解いて、Ｌ，ｒ，θで表現すれば次式となる。
【数３】
2005204639.tif 000005
【００２９】
【数４】
2005204639.tif 000006
【００３０】  以上のとおり、毛状物７の先端の変位により移動距離ｘを生じ、これが送りピッチとして作用して移送が可能となる。なお、以上の説明は相対向する二つの基底構造物での説明であったが、基底構造物と相対向する壁構造物との関係では数式１でのｒ／２をｒに読み替えればよい。【００３１】  本発明は新規な散布方法・散布装置に関し、多様な実施態様を包含しうる。実施の態様を以下に図面で表現した実施例に即して説明する。本発明の範囲はこれらの実施例およびこれらに類似の範囲に限定されるものではなく、発明の技術構成の核心部分において本発明の技術構成を包含するものは当然に本発明に含まれる。なお、本発明は散布物が不定形固形物、就中、堆肥・腐植・腐朽物等である場合にその真骨頂を発揮するが、通常の方法で散布しうる顆粒、粒状剤、不定形の完全に乾燥した、あるいは粘質性を有しない散布物に対しても適用可能であり、堆肥・腐植・腐朽物とこれらの混合物からなる散布物の散布に対しても有効である。
【実施例１】
【００３２】  図１は本発明の散布装置の一例の主要部分の概念図である。図中、１は散布装置の外面、２は散布物保持手段としてのホッパー、３は散布物をホッパーから円滑に散布物を排出するためのバイブレーター、４は散布物の移送手段、４ａはその排出孔である。なお、本実施例には装置を自走させるための駆動手段である駆動輪５を付設してある。
【実施例２】
【００３３】  図２は本発明の散布手段の技術の核心部分を構成する移送手段の説明図である。図中、相対向する二つの基底構造物６上に固定された毛状物７は相対向して互いに、常に接触状態を保持したままで基底構造物６の接近〜離隔の振動運動に随伴する振動を受けて振動している。散布物８は毛状物７の先端部の変位によりその表面上を大きな圧縮力や圧力を被ることなく二つの毛状物７の接触面に沿って滑らかに移送され、毛状物の列の末端より排出される。
【実施例３】
【００３４】  図３は本発明の散布手段の別の構成の説明図である。図中、一つの基底構造物６上に固定された毛状物７は常に相対向する壁構造物９に接触状態を保持したままで基底構造物６の接近〜離隔の振動運動に随伴する振動を受けて振動している。散布物８は毛状物７の先端部の変位によりその表面上を大きな圧縮力や圧力を被ることなく壁構造物９に沿って滑らかに移送され、毛状物の列の末端より排出される。
【産業上の利用可能性】
【００３５】  本発明は農業・園芸業・造園業・林業・酪農業、あるいはこれらの産業向けの散布装置の製造業において利用可能である。【００３６】  現在、食品廃棄物、家畜排泄物、下水処理汚泥等はリサイクルと称して盛んに堆肥化されているが、堆肥は不定形の、水分と粘質物を含むまことに取り扱いのやっかいな物性を有するため、農地・圃場等に散布される割合は非常に少なく、大部分は埋め立て、焼却等されて資源化されていないのが実情である。本発明の散布方法・散布手段の実施によりリサイクル堆肥が実効的な有効資源に転換されることも期待できリサイクル産業においても利用可能性がある。
【図面の簡単な説明】
【００３７】
【図１】散布装置の構成の一例の概念図である。（実施例１）
【図２】移送手段の構造の一例の断面図である。（実施例２）
【図３】移送手段の構造の一例の断面図である。（実施例３）
【符号の説明】
【００３８】１  外面
２  ホッパー
３  バイブレーター
４  移送手段
５  駆動輪
６  基底構造物
７  毛状物
８  散布物
９  壁構造物
【図１】
2005204639.tif 000007
【図２】
2005204639.tif 000008
【図３】
2005204639.tif 000009